(57)【要約】【課題】機器の設定情報等を他の端末装置から容易に参照することのできるネットワーク端末装置を提供することを目的としている。【解決手段】ネットワーク端末装置の機器設定情報等を共有領域に保存するので、ネットワーク端末装置の機器設定情報等を他の端末装置より容易にアクセスすることができるので、非常に便利であるという効果を得る。【選択図】　　　　図３
2004112331.tif 000002
【特許請求の範囲】
【請求項１】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域に自端末の機器設定情報を保存することを特徴とするネットワーク端末装置。
【請求項２】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域に自端末の機器設定情報を保存し、その機器設定情報を参照して、自端末の対応する機器の設定を行うことを特徴とするネットワーク端末装置。
【請求項３】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域に自端末の通信履歴情報を保存することを特徴とするネットワーク端末装置。
【請求項４】
ネットワークを介してデータをやりとりするネットワーク通信機能と、公衆回線を介して行われるファクシミリ伝送手順により画情報をやりとりするファクシミリ通信機能を備えたネットワーク端末装置において、
自端末に、他の端末装置からアクセス可能な共有領域を設け、当該共有領域にＲＯＭイメージデータが保存されると、そのＲＯＭイメージデータを用いて、自端末のシステムプログラムを保存しているＲＯＭの内容を書き換えることを特徴とするネットワーク端末装置。
【請求項５】
前記共有領域へアクセスするユーザのアクセス権を設定可能な請求項１または請求項２または請求項３または請求項４記載のネットワーク端末装置。
【請求項６】
少なくとも、ネットワークを介してデータをやりとりするネットワーク通信機能を備えたネットワーク端末装置において、
自端末に、他の端末装置からアクセス可能な共有領域を設け、当該共有領域に自端末の機器設定情報を保存することを特徴とするネットワーク端末装置。
【請求項７】
少なくとも、ネットワークを介してデータをやりとりするネットワーク通信機能を備えたネットワーク端末装置において、
自端末に、他の端末装置からアクセス可能な共有領域を設け、当該共有領域に自端末の機器設定情報を保存し、その機器設定情報を参照して、自端末の対応する機器の設定を行うことを特徴とするネットワーク端末装置。
【請求項８】
少なくとも、ネットワークを介してデータをやりとりするネットワーク通信機能を備えたネットワーク端末装置において、
自端末に、他の端末装置からアクセス可能な共有領域を設け、当該共有領域に自端末の通信履歴情報を保存することを特徴とするネットワーク端末装置。
【請求項９】
少なくとも、ネットワークを介してデータをやりとりするネットワーク通信機能を備えたネットワーク端末装置において、
自端末に、他の端末装置からアクセス可能な共有領域を設け、当該共有領域にＲＯＭイメージデータが保存されると、そのＲＯＭイメージデータを用いて、自端末のシステムプログラムを保存しているＲＯＭの内容を書き換えることを特徴とするネットワーク端末装置。
【発明の詳細な説明】
【０００１】
【発明の属する技術分野】
本発明は、ネットワークを介してデータをやりとりするネットワーク通信機能と、公衆回線を介して行われるファクシミリ伝送手順により画情報をやりとりするファクシミリ通信機能を備えたネットワーク端末装置に関する。
【０００２】
【従来の技術】
従来、ネットワークファクシミリ装置等のネットワーク端末装置では、例えば、受信したファクシミリ画情報を他の端末装置（例えば、パーソナルコンピュータ装置等）で受け取るようにする場合には、電子メールを用いて行っていた。
【０００３】
また、ネットワーク上において、様々な転送プロトコルを使用してデータを保存する装置（特許文献１参照）も提案されている。
【０００４】
【特許文献１】
特開２００１−１１１９３１号公報
【０００５】
また、ネットワークを通して、他の端末装置（例えば、パーソナルコンピュータ装置等）からネットワークファクシミリ装置の設定を調べる方法としては、その端末装置に独自のアプリケーションをインストールするか、ネットワークファクシミリ装置にＷＷＷサーバ機能を備え、端末装置側からは、ＷＷＷブラウザを通して接続する方法があった。
【０００６】
【発明が解決しようとする課題】
ところが、このような従来の方法では、前者の方法の場合には、ユーザーとしては調査の対象となるネットワークファクシミリ装置等の機器ごとに、固有のアプリケーションをインストールしたくないという要求があった。
【０００７】
また、後者の方法では、対応するＷＷＷブラウザの種類や、バージョンなどが限定されることが多いため、使い勝手が悪いという事情があった。
【０００８】
本発明は、かかる実情に鑑みてなされたものであり、機器の設定情報等を他の端末装置から容易に参照することのできるネットワーク端末装置を提供することを目的としている。
【０００９】
【課題を解決するための手段】
本発明は、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域に自端末の機器設定情報を保存するようにしたものである。
【００１０】
また、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域に自端末の機器設定情報を保存し、その機器設定情報を参照して、自端末の対応する機器の設定を行うようにしたものである。
【００１１】
また、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域に自端末の通信履歴情報を保存するようにしたものである。
【００１２】
また、ネットワークを介してデータをやりとりするネットワーク通信機能と、公衆回線を介して行われるファクシミリ伝送手順により画情報をやりとりするファクシミリ通信機能を備えたネットワーク端末装置において、自端末に、他の端末装置からアクセス可能な共有領域を設け、当該共有領域にＲＯＭイメージデータが保存されると、そのＲＯＭイメージデータを用いて、自端末のシステムプログラムを保存しているＲＯＭの内容を書き換えるようにしたものである。
【００１３】
また、前記共有領域へアクセスするユーザのアクセス権を設定可能にしたものである。
【００１４】
また、少なくとも、ネットワークを介してデータをやりとりするネットワーク通信機能を備えたネットワーク端末装置において、自端末に、他の端末装置からアクセス可能な共有領域を設け、当該共有領域に自端末の機器設定情報を保存するようにしたものである。
【００１５】
また、少なくとも、ネットワークを介してデータをやりとりするネットワーク通信機能を備えたネットワーク端末装置において、自端末に、他の端末装置からアクセス可能な共有領域を設け、当該共有領域に自端末の機器設定情報を保存し、その機器設定情報を参照して、自端末の対応する機器の設定を行うようにしたものである。
【００１６】
また、少なくとも、ネットワークを介してデータをやりとりするネットワーク通信機能を備えたネットワーク端末装置において、自端末に、他の端末装置からアクセス可能な共有領域を設け、当該共有領域に自端末の通信履歴情報を保存するようにしたものである。
【００１７】
また、少なくとも、ネットワークを介してデータをやりとりするネットワーク通信機能を備えたネットワーク端末装置において、自端末に、他の端末装置からアクセス可能な共有領域を設け、当該共有領域にＲＯＭイメージデータが保存されると、そのＲＯＭイメージデータを用いて、自端末のシステムプログラムを保存しているＲＯＭの内容を書き換えるようにしたものである。
【００１８】
【発明の実施の形態】
以下、添付図面を参照しながら、本発明の実施の形態を詳細に説明する。
【００１９】
図１は、本発明の一実施例にかかるネットワークシステムを示している。
【００２０】
同図において、ローカルエリアネットワークＬＡＮには、複数のワークステーション装置ＷＳ１〜ＷＳｎ、および、ネットワークファクシミリ装置ＦＸが接続されているとともに、ルータ装置ＲＴを介してインターネットへ接続されている。したがって、ワークステーション装置ＷＳ１〜ＷＳｎ、および、ネットワークファクシミリ装置ＦＸは、インターネットを介し、他の適宜な端末装置との間でデータをやりとりすることができる。
【００２１】
また、ワークステーション装置ＷＳ１〜ＷＳｎには、他の端末装置（例えば、ネットワークファクシミリ装置ＦＸ）に設けられている共有領域にアクセスできるようにするファイル共有領域アクセス機能（ＳＭＢクライアント機能；後述）や、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２２】
また、ネットワークファクシミリ装置ＦＸは、ワークステーション装置ＷＳ１〜ＷＳｎから自端末に設けた共有領域をアクセス可能にするファイル共有機能（ＳＭＢサーバ機能；後述）、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００２３】
図２は、ネットワークファクシミリ装置ＦＸの構成例を示している。
【００２４】
同図において、ＣＰＵ（中央処理装置）１は、このネットワークファクシミリ装置ＦＸの各部の制御処理、および、ファクシミリ伝送制御手順処理などの各種制御処理を行うものであり、ＦＬ−ＲＯＭ（フラッシュＲＯＭ（リード・オンリ・メモリ）；書換可能なＲＯＭ）２は、ＣＰＵ１が実行する制御処理プログラム、および、処理プログラムを実行するときに必要な各種データなどを記憶するためのものであり、ＲＡＭ（ランダム・アクセス・メモリ）３は、ＣＰＵ１のワークエリアを構成するとともに、ファイル共有機能で共有する領域を構成するものであり、パラメータメモリ４は、このネットワークファクシミリ装置ＦＸに固有な各種の情報を記憶するためのものであり、バッテリ５によって、バッテリバックアップされている。
【００２５】
キャラクタジェネレータ６は、図形文字の表示データを発生するためのものであり、時計回路７は、現在日時情報を出力するためのものである。
【００２６】
スキャナ８は、所定の解像度で原稿画像を読み取るためのものであり、プロッタ９は、所定の解像度で画像を記録出力するためのものであり、操作表示部１０は、このネットワークファクシミリ装置ＦＸを操作するためのもので、各種の操作キー、および、各種の表示器からなる。
【００２７】
符号化復号化部１１は、画信号を符号化圧縮するとともに、符号化圧縮されている画情報を元の画信号に復号化するためのものであり、画像蓄積装置１２は、符号化圧縮された状態の画情報を多数記憶するためのものである。
【００２８】
グループ３ファクシミリモデム１３は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２９】
網制御装置１４は、このネットワークファクシミリ装置ＦＸをアナログ公衆回線網ＰＳＴＮに接続するためのものであり、自動発着信機能を備えている。
【００３０】
ローカルエリアネットワークインターフェース回路１５は、このネットワークファクシミリ装置ＦＸをローカルエリアネットワークＬＡＮに接続するためのものであり、ローカルエリアネットワーク伝送制御部１６は、ローカルエリアネットワークＬＡＮを介して、他のデータ端末装置との間で種々のデータをやりとりするための各種所定のプロトコルスイートの通信制御処理を実行するためのものである。
【００３１】
これらの、ＣＰＵ１、ＦＬ−ＲＯＭ２、ＲＡＭ３、パラメータメモリ４、キャラクタジェネレータ６、時計回路７、スキャナ８、プロッタ９、操作表示部１０、符号化復号化部１１、画像蓄積装置１２、グループ３ファクシミリモデム１３、網制御装置１４、および、ローカルエリアネットワーク伝送制御部１６は、内部バス１７に接続されており、これらの各要素間でのデータのやりとりは、主としてこの内部バス１７を介して行われている。
【００３２】
また、図示していないが、ＦＬ−ＲＯＭ２のデータ書換手段は、ＣＰＵ１の周辺回路または内部バス１７の内部回路として設けられている。したがって、ＦＬ−ＲＯＭ２の内容は、ＣＰＵ１の制御により、適宜に書き換えることができる。
【００３３】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ　Ｍａｉｌ　Ｔｒａｎｓｆｅｒ　Ｐｒｏｔｏｃｏｌ）という通信プロトコルが適用される。
【００３４】
また、ネットワークファクシミリ装置ＦＸに設けた共有領域へのアクセスの際には、ＳＭＢ（Ｓｅｒｖｅｒ　Ｍｅｓｓａｇｅ　Ｂｌｏｃｋ）プロトコルが用いられる。
【００３５】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ　ＰｕｒｐｏｓｅＭａｉｌ　Ｅｘｔｅｎｓｉｏｎ）形式）などでそれぞれ規定されている。
【００３６】
また、ＳＭＢは、マイクロソフト社のＷｉｎｄｏｗｓ　ＮＴ／ＸＰやＷｉｎｄｏｗｓ　９５／９８／２０００など（以下、「Ｗｉｎｄｏｗｓ系のＯＳ」という）でネットワークを通じてファイル共有やプリンタ共有を実現するプロトコルであり、下位のプロトコルとしてＮｅｔＢＩＯＳを使う、いわゆるＭＳ−ＤＯＳ時代のＬＡＮ　Ｍａｎａｇｅｒから使われているアプリケーションソフトである。ＳＭＢプロトコルはマイクロソフト社が主に開発し、現在でも改良を続けている独自のプロトコルであるが、これを正式にドキュメント化して、インターネット上などでファイル共有サービスとして利用できるようにしたものをＣＩＦＳ（Ｃｏｍｍｏｎ　Ｉｎｔｅｒｎｅｔ　Ｆｉｌｅ　Ｓｙｓｔｅｍ）プロトコルと呼び、その仕様が公開されている。ＵＮＩＸ系のＯＳ環境（サンマイクロシステム社のＳｏｌａｌｉｓや、Ｌｉｎｕｘ、ＦｒｅｅＢＳＤおよびＮｅｔ−ＢＳＤ等のいわゆるＰＣ−Ｕｎｉｘ）では、このＳＭＢ／ＣＩＦＳプロトコルを実装したファイル／プリンタ共有サービスであるＳａｍｂａが利用できる。
【００３７】
なお、「Ｕｎｉｘ」は、Ｔｈｅ　Ｏｐｅｎ　Ｇｒｏｕｐ　Ｌｔｄ．が独占的にライセンスしている米国ならびに他の国における登録商標である。
【００３８】
そして、ネットワークファクシミリ装置ＦＸは、読み取った原稿画像をアナログ公衆回線網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、アナログ公衆回線網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーション装置ＷＳより（電子メールで）受信した画情報を、指定されたアナログ公衆回線網ＰＳＴＮのグループ３ファクシミリ装置へ転送する転送サービス機能等を備えている。
【００３９】
また、自端末宛に受信した電子メールについては、本文情報に配置される画情報を取り出して、記録出力するようにしている。
【００４０】
また、本実施例では、ワークステーション装置ＷＳ１〜ＷＳｎに、Ｗｉｎｄｏｗｓ系のＯＳをインストールしておくだけで、ＳＭＢクライアント機能を利用できるので、ネットワークファクシミリ装置ＦＸに設けられた共有領域を適宜にアクセスすることができるので、ＳＭＢクライアント機能を備えるために他の特別なソフトウェアをインストールする必要がなく、非常に便利である。
【００４１】
図３は、ネットワークファクシミリ装置ＦＸに設けるファイル共有領域の一例を示している。
【００４２】
本実施例では、ファイル共有領域は、ＲＡＭ３の一部に設けられ、通信履歴をあらわす通信管理情報を保存するための通信管理情報領域、ワンタッチダイアル情報や短縮ダイアル情報を保存するための電話帳情報領域、および、ＦＬ−ＲＯＭ２のＲＯＭイメージデータを保存するためのＲＯＭイメージ領域が設けられている。
【００４３】
また、通信管理情報領域には、ＳＭＢの領域名（フォルダ名）として、「￥￥ｉｆａｘ￥ｔｃｒ」が設定され、電話帳情報領域には、ＳＭＢの領域名として、「￥￥ｉｆａｘ￥ａｄｄ」が設定され、ＲＯＭイメージ領域には、ＳＭＢの領域名として、「￥￥ｉｆａｘ￥ｒｏｍ」が設定されている。
【００４４】
そして、ネットワークファクシミリ装置ＦＸは、送受信等の通信動作を行い通信管理情報を作成するたびに、その通信管理情報を通信管理情報領域に保存する。
【００４５】
また、ワークステーション装置ＷＳ１〜ＷＳｎより、通信管理情報領域がアクセスされると、ネットワークファクシミリ装置ＦＸは、通信管理情報領域に保存されている１つ以上の通信管理情報に基づいて、所定の通信管理レポートの表示画像を所定の画像データフォーマット（例えば、ＰＤＦ（アドビ社の登録商標）等）で作成し、その画像データをワークステーション装置ＷＳ１〜ＷＳｎへ送信する。
【００４６】
これにより、ワークステーション装置ＷＳ１〜ＷＳｎは、ネットワークファクシミリ装置ＦＸの通信管理情報領域をアクセスすることで、ネットワークファクシミリ装置ＦＸの通信管理レポートを取得することができる。
【００４７】
なお、通信管理レポートを、例えば、ＣＳＶ（Ｃｏｍｍａ　Ｓｅｐａｒａｔｅｄ　Ｖａｌｕｅ）等のデータ形式で、ワークステーション装置ＷＳ１〜ＷＳｎへ送信しないのは、通信料金等の情報が改竄されることを抑制するためである。
【００４８】
ここで、ＣＳＶは、「レコード中の各フィールドを、コンマ（，）をデリミタとして列挙したデータフォーマット形式。一般にＣＳＶ形式では、文字列データはダブルクォーテーションでくくることが多い。Ｍｉｃｒｏｓｏｆｔ　Ｅｘｃｅｌ（アメリカマイクロソフト社の商標）やロータス１−２−３（アメリカロータス社の商標）などのスプレッドシートアプリケーションでは、汎用フォーマットの１つとして、ＣＳＶ形式でのデータ出力、データ入力機能が備えられている。」（アスキーデジタル用語辞典より引用；ＵＲＬ＝ｈｔｔｐ：／／ｙｏｕｇｏ．ａｓｃｉｉ２４．ｃｏｍ／ｇｈ／２０／００２０３７．ｈｔｍｌ）
【００４９】
また、ワンタッチダイアル情報および短縮ダイアル情報は、電話帳情報領域に直接保存するとともに、ワンタッチダイアル機能や短縮ダイアル機能が使用されるときには、電話帳情報領域に保存されているワンタッチダイアル情報あるいは短縮ダイアル情報を読み出して、宛先情報（ファクシミリ番号）等を取得する。
【００５０】
また、ワークステーション装置ＷＳ１〜ＷＳｎより、電話帳情報領域が読み出しアクセスされると、ネットワークファクシミリ装置ＦＸは、電話帳情報領域に保存されているワンタッチダイアル情報および短縮ダイアル情報を読み出し、ＣＳＶ形式にデータ変換し、そのＣＳＶ形式のワンタッチダイアル情報および短縮ダイアル情報をワークステーション装置ＷＳ１〜ＷＳｎへ送信する。
【００５１】
また、ワークステーション装置ＷＳ１〜ＷＳｎより、電話帳情報領域が書き込みアクセスされると、ネットワークファクシミリ装置ＦＸは、ワークステーション装置ＷＳ１〜ＷＳｎより書き込むデータを受信し、その受信データの内容の正当性を検査し、その検査に合格すると、受信データにより、電話帳管理情報領域に保存されているワンタッチダイアル情報および短縮ダイアル情報を書き換える。
【００５２】
これにより、ワークステーション装置ＷＳ１〜ＷＳｎは、ネットワークファクシミリ装置ＦＸのワンタッチダイアル情報および短縮ダイアル情報を適宜に更新することができ、ネットワークファクシミリ装置ＦＸのワンタッチダイアル情報および短縮ダイアル情報の管理を容易に行うことができるようになる。
【００５３】
また、ＲＯＭイメージ領域にＲＯＭイメージデータが書き込まれると、その書き込まれたＲＯＭイメージデータの内容を検査し、その検査に合格すると、その書き込まれたＲＯＭイメージデータにより、ＦＬ−ＲＯＭ２の内容を書き換え、装置を再起動する。
【００５４】
したがって、ネットワークファクシミリ装置ＦＸのシステムのバージョンアップ等の作業を自動で行うことができ、非常に便利である。
【００５５】
また、ＳＭＢのアクセスコントロール機能を用いることで、通信管理情報領域、電話帳情報領域、および、ＲＯＭイメージ領域にアクセスできるユーザを制限することができるので、ネットワークファクシミリ装置ＦＸの保守上、守秘等の管理を適切に行うことができることとなる。
【００５６】
図４、図５および図６は、ネットワークファクシミリ装置ＦＸが、他の端末装置よりＳＭＢ要求を受信したときの処理の一例を示している。
【００５７】
いずれかの端末よりＳＭＢ要求を受信すると（処理１０１）、そのときにアクセス要求された領域を判定する（処理１０２）。処理１０２で判定した領域が通信管理情報領域であるかどうかを調べる（判断１０３）。
【００５８】
判断１０３の結果がＹＥＳになるときには、通信管理情報領域について、アクセス要求元のユーザのアクセス権限を検査し（処理１０４）、検査の結果が「ＯＫ」であったかどうかを調べる（判断１０５）。
【００５９】
判断１０５の結果がＹＥＳになるときには、通信管理情報領域に保存されている１つ以上の通信管理情報に基づいて、所定の通信管理レポートの表示画像を所定の画像データフォーマットで作成し（処理１０６）、処理１０６で作成した画像データをアクセス要求元の端末装置へ送信する（処理１０７）。
【００６０】
また、アクセス要求元のユーザのアクセス権限についての検査結果が「ＮＧ」であり、判断１０５の結果がＮＯになるときには、アクセス要求元へアクセス拒否を通知し（処理１０８）、このときの処理を終了する。
【００６１】
また、判断１０３の結果がＮＯになるときには、処理１０２で判定した領域が電話帳情報領域であるかどうかを調べる（判断１０９）。判断１０９の結果がＹＥＳになるときには、電話帳情報領域について、アクセス要求元のユーザのアクセス権限を検査し（処理１１０）、検査の結果が「ＯＫ」であったかどうかを調べる（判断１１１）。ここで、判断１１１の結果がＮＯになるときには、処理１０８へ移行し、アクセス拒否して、この処理を終了する。
【００６２】
判断１１１の結果がＹＥＳになるときには、そのときのアクセス要求がデータの書き込み要求であったかどうかを調べ（判断１１２）、判断１１２の結果がＹＥＳになるときには、アクセス要求元より書き込みデータを受信し（処理１１３）、その受信したデータの内容を検査する（処理１１４）。
【００６３】
受信データの内容の検査の結果が「ＯＫ」であるかどうかを調べ（判断１１５）、判断１１５の結果がＹＥＳになるときには、受信データを電話帳情報領域へ書き込み、それにより、電話帳情報領域に保存されているワンタッチダイアル情報および短縮ダイアル情報を書き換える（処理１１６）。
【００６４】
また、判断１１５の結果がＮＯになるときには、アクセス拒否し（処理１１７）、このときの処理を終了する。
【００６５】
また、そのときのアクセス要求がデータの読み出し要求であり、判断１１２の結果がＮＯになるときには、電話帳情報領域に保存されているワンタッチダイアル情報および短縮ダイアル情報を読み出し、ＣＳＶ形式にデータ変換し（処理１１８）、そのＣＳＶ形式のワンタッチダイアル情報および短縮ダイアル情報をアクセス要求元の端末装置へ送信する（処理１１９）。
【００６６】
また、処理１０２で判定した領域がＲＯＭイメージ領域であり、判断１１１の結果がＮＯになるときには、ＲＯＭイメージ領域について、アクセス要求元のユーザのアクセス権限を検査し（処理１２０）、検査の結果が「ＯＫ」であったかどうかを調べる（判断１２１）。ここで、判断１２１の結果がＮＯになるときには、処理１０８へ移行し、アクセス拒否して、この処理を終了する。
【００６７】
判断１２１の結果がＹＥＳになるときには、アクセス要求元よりＲＯＭイメージデータを受信し（処理１２２）、その受信したデータの内容を検査する（処理１２３）。このときのデータ検査の内容としては、ＲＯＭイメージのバージョン番号の検査、チェックサムあるいはＣＲＣ等による受信データの正当性の検査などである。
【００６８】
受信データの内容の検査の結果が「ＯＫ」であるかどうかを調べ（判断１２４）、判断１２４の結果がＹＥＳになるときには、受信したＲＯＭイメージデータを用いて、ＦＬ−ＲＯＭ２の内容を書き換える（処理１２５）。
【００６９】
また、受信データの内容の検査の結果が「ＮＧ」であり、判断１２４の結果がＮＯになるときには、ＦＬ−ＲＯＭ２の書き換えは行わず、受信データを廃棄して、この処理を終了する。
【００７０】
なお、上述した実施例では、ネットワークファクシミリ装置に本発明を適用した場合について説明したが、それ以外のネットワーク端末装置、例えば、ＭＦＰ（多機能入出力装置；例えば、ネットワーク・スキャナ・プリンタ・ファクシミリ統合装置等）についても、本発明を同様にして適用することができる。
【００７１】
また、複数のＦＬ−ＲＯＭによって構成される場合には、おのおののＦＬ−ＲＯＭについて、ＲＯＭイメージ領域を設けるようにすればよい。例えば、共有領域のディレクトリを￥￥ｓｅｒｖｅｒ￥ｒｏｍ￥ｆａｘ（ファクシミリ機能ＦＬ−ＲＯＭ用）や￥￥ｓｅｒｖｅｒ￥ｒｏｍ￥ｃｏｐｙ（複写機能ＦＬ−ＲＯＭ用）のように分けることで対応できる。
【００７２】
【発明の効果】
以上説明したように、本発明によれば、ネットワーク端末装置の機器設定情報等を共有領域に保存するので、ネットワーク端末装置の機器設定情報等を他の端末装置より容易にアクセスすることができるので、非常に便利であるという効果を得る。
【図面の簡単な説明】
【図１】本発明の一実施例にかかるネットワークシステムを示したブロック図。
【図２】ネットワークファクシミリ装置ＦＸの構成例を示したブロック図。
【図３】ネットワークファクシミリ装置ＦＸに設けるファイル共有領域の一例を示したブロック図。
【図４】ネットワークファクシミリ装置ＦＸが、他の端末装置よりＳＭＢ要求を受信したときの処理の一例を示したフローチャート。
【図５】ネットワークファクシミリ装置ＦＸが、他の端末装置よりＳＭＢ要求を受信したときの処理の一例を示したフローチャート（続き）。
【図６】ネットワークファクシミリ装置ＦＸが、他の端末装置よりＳＭＢ要求を受信したときの処理の一例を示したフローチャート（続き）。
【図１】
2004112331.tif 000003
【図２】
2004112331.tif 000004
【図３】
2004112331.tif 000005
【図４】
2004112331.tif 000006
【図５】
2004112331.tif 000007
【図６】
2004112331.tif 000008